(57)【要約】【課題】本発明は、本発明によれば、本体胴体部の径が小さくなり内部構造と干渉しそうな場合でも種々の先端工具を容易且つ確実にハウジングに設けた先端工具保持部に収容可能な電動工具を提供することである。また、本発明は、本体胴体部の後端部に手を添えて前方に押しつける作業を行った場合でも作業者に疲労感や違和感を与えることのない操作性及び操作性に優れた先端工具保持部を有する電動工具を提供することである。【解決手段】駆動源であるモータと、モータを収容するハウジング１と、ハウジング１に設けた先端工具保持部４と、先端工具保持部４内に収容される先端工具５とを備えた電動工具において、ハウジング１に抉れ部を設け、当該抉れ部から突出する保護壁６により先端工具保持部４を形成する。【選択図】      図１
2004230538.tif 000002
【特許請求の範囲】
【請求項１】
駆動源であるモータと、該モータを収容するハウジングと、該ハウジングに設けた先端工具保持部と、該先端工具保持部内に収容される先端工具とを備えた電動工具において、前記ハウジングに抉れ部を設け、該抉れ部から突出する保護壁により前記先端工具保持部を形成することを特徴とする電動工具。
【請求項２】
前記保護壁は、収容される前記先端工具の外周を覆うと共に、前記先端工具より高さを有することを特徴とする請求項１記載の電動工具。
【請求項３】
前記保護壁の後端部に曲部を設けることを特徴とする請求項１又は請求項２の何れか記載の電動工具。
【請求項４】
前記保護壁に前記先端工具を着脱する際に使用される切り欠きを形成することを特徴とする請求項１乃至請求項３の何れか記載の電動工具。
【発明の詳細な説明】
【０００１】
【発明の属する技術分野】
本発明は、モータ等を収容するハウジングに、ドライバビット等の先端工具を着脱自在に収納するための先端工具保持部を有する電動工具に関するものである。
【０００２】
【従来の技術】
従来におけるコードレスドライバドリル等の電動工具に形成されていた先端工具保持機構を図２０及び図２１を用いて説明する。上記電動工具は、駆動源であるモータと、モータの回転動力を伝達するための減速機構部と、該減速機構からの動力により回転されるドライバビット等の先端工具２を保持するチャックと、チャックに着脱可能な先端工具へのトルク調整機構とを有し、上記モータ等は蓄電池の着脱自在な装着部を有するハンドル部と一体的に形成されて成る樹脂製のハウジング１に収容されている。上記電動工具は主にネジ等を被削材に締結する際に使用されるものであり、作業を行っていくうちに摩耗或いは破損等によりチャックに装着されている先端工具を別の先端工具２に交換して使用しなければならないため、交換を要する場合には作業者の身近な所に交換用の先端工具２が準備されていると、作業効率を低下させることなく容易且つ確実に先端工具２の交換作業を行うことができる。そのため、上記ハウジング１における外側面の一部には、利便性を考慮してチャックに保持されている先端工具とは別の先端工具２を予め保持可能とする先端工具保持部３を有する電動工具が提供されている。
【０００３】
また、他の先端工具保持部としては、特許文献に示されるように、ハウジングから突出して先端工具を保持するための先端工具保持部や、ハンドル部下部に先端工具保持部が設けられるものがある。
【特許文献】
実開平６−８０５６４
特開平９−２１６１７１
【０００４】
【発明が解決しようとする課題】
近年、電動工具に対する小形軽量化が求められているが、あまり小型化しすぎるとハウジングに先端工具保持部を設けることが難しくなってしまう。つまりモータ等を収容するハウジングの外径が細くなってしまうと、モータ等の内部機構に干渉してハウジングに先端工具保持部を設けることができなくなってしまう。
仮に上述した電動工具において従来のようにハウジングに先端工具保持部を設け先端工具を保持すると、先端工具がハウジング内にしっかり収容されないため、結果的にハウジング外に先端工具が露出した状態で、しかも弾性を有する金具によってのみ保持される構成になってしまうことから、振動（衝撃）等により先端工具保持部から先端工具が外れてしまうという問題を招いてしまう可能性がある。また、使用状態において、例えば片手でハンドル部を把持し、もう一方の手を本体胴体部の後端部に添えて前方へ押しつけるような作業を行った場合には、上記後端部に添えた手のひらに先端工具保持部の後端部の角が突き当たってしまうため、作業者に疲労感や違和感を与えてしまうことから作業性及び操作性の低下が低下してしまう問題を招いてしまう可能性がある。
【０００５】
本発明の目的は、上記問題を解消し、本体胴体部の径が小さくなり内部構造と干渉しそうな場合でも種々の先端工具を容易且つ確実にハウジングに設けた先端工具保持部に収容可能な電動工具を提供することである。
【０００６】
また、本発明の目的は、本体胴体部の後端部に手を添えて前方に押しつける作業を行った場合でも作業者に疲労感や違和感を与えることのない操作性及び操作性に優れた先端工具保持部を有する電動工具を提供することである。
【０００７】
【課題を解決するための手段】
上記目的は、駆動源であるモータと、モータを収容するハウジングと、ハウジングに設けた先端工具保持部と、先端工具保持部内に収容される先端工具とを備えた電動工具において、ハウジングに抉れ部を設け、抉れ部から突出する保護壁により先端工具保持部を形成することにより達成される。
【０００８】
【発明の実施の形態】
本実施例におけるコードレスドライバドリル等の電動工具に設ける先端工具保持部４を図１〜図１９を用いて説明する。図１は本実施例における電動工具の一実施例を示す外観正面図、図２は図１に示す電動工具の左側面図、図３は図１に示す電動工具の右側面図、図４は図１に示す電動工具の平面図、図５は本実施例における電動工具を横転させた際の先端工具保持部４と設置面１２との関係を示す説明図、図６は本実施例における電動工具の他の実施例を示す外観正面図、図７は図６に示す電動工具の左側面図、図８は図６に示す電動工具の右側面図、図９は図６に示す電動工具の平面図、図１０は図１の電動工具を作業者が把持して使用する場合の一例を示す状態説明図、図１１は図６の電動工具を作業者が把持して使用する場合の一例を示す状態説明図、図１２は図１及び図６の電動工具に設けた先端工具保持部を示す縦断面図、図１３は図１及び図６の電動工具に設けた先端工具保持部４に対して先端工具５を着脱する場合の一例を示す状態説明図、図１４はコード１７付の電動工具に同様の先端工具保持部を設けた一例を示す外観正面図、図１５は本実施例における電動工具の更に他の実施例を示す外観正面図、図１６は図１５に示す電動工具の左側面図、図１７は図１５に示す電動工具の右側面図、図１８は図１５に示す電動工具の平面図、図１９は本実施例における先端工具保持部４の他の実施例を示す外観正面図である。
【０００９】
図１及び図４に示す電動工具は、駆動源であるモータと、モータの回転動力を伝達するための減速機構部と、該減速機構からの動力により回転されるドライバビット等の先端工具を保持するチャックと、チャックに着脱可能な先端工具へのトルク調整機構とを有し、上記モータ等は蓄電池の着脱自在な装着部を有するハンドル部と一体的に形成されて成る樹脂製のハウジング１に収容されている。上記電動工具は主にネジ等を被削材に締結する際に使用されるものであり、作業を行っていくうちに摩耗或いは破損等によりチャックに装着されている先端工具を別の先端工具５に交換して使用しなければならないため、交換を要する場合には作業者の身近な所に交換用の先端工具５が準備されていると、作業効率を低下させることなく容易且つ確実に先端工具５の交換作業を行うことができる。そのため、上記ハウジング１における外側面の一部には、利便性を考慮してチャックに保持されている先端工具とは別の先端工具５を予め保持可能とする先端工具保持部４を有する電動工具が提供されている。
【００１０】
上記ハウジング１は、小形軽量化を図るため、モータ付近のハウジング１に抉れ部が施されており、この抉れ部はハウジング１により形成される本体胴体部の長手方向側面に形成されている。上記先端工具保持部４は、上記抉れ部内に位置し更に当該抉れ部から突出する保持壁６により形成されており、保持壁６により先端工具５の全周囲むような大きさで形成されている。また、保護壁６の高さは図５に示すように矢印方向に電動工具を横転させた際、設置面１２に保護壁６が先に接触する高さになっており、先端工具５が設置面１２に当たらない形状になっているため、先端工具５が脱落することなく安定して保持することができる。
つまり、先端工具保持部４に先端工具５を取り付け時の高さよりもっと突出した高さに保護壁６の高さが設定されている。
【００１１】
また、図１〜図４及び図６〜図９に示す先端工具保持部４の保護壁６のうち後端部に位置する保護壁１４を削除し、且つあとに残った上下の壁の後端部１３の部位に角Ｒ９（曲面）を形成することにより、図１０及び図１１に示す作業、即ちハンドル部を片手１５ａで把持し、もう一方の手１５ｂで本体胴体部１の後端部を前方に押しつける作業を行う場合に、本体胴体部１の後端部に添えた手１５ｂのひらに先端工具保持部４の後端部の壁の角１３が当たり作業者に対して疲労感や違和感を与えることを極力なくすことができるようになる。なお、図１〜図４の方が図６〜図９に示す先端工具保持部４より大きい曲面を有している。
【００１２】
また、図１２に示すように先端工具保持部４内には、先端工具５の脱落を防ぐために先端工具５の外径と同等或いはそれより小さい内径を有する弾性体７が嵌め込まれて設けられており、先端工具５の挿入時に弾性体７を弾性変形させ保持壁６の内壁に先端工具５を押し付ける形で長手方向に直交する方向への抜け止めを防ぎながら先端工具５を位置決め保持している。また、先端工具保持部４の保持壁６の一部で且つ長手方向に直交する方向に突出する突起１０が上下に２箇所設けられており、この突起１０が先端工具５の円周方向（径方向）に形成される環状溝１１に係合することにより、先端工具５の長手方向への移動を規制しながら保持している。また、先端工具保持部４を形成する保持壁６のうちチャック側或いは反チャック側に位置する部分に開口端部を設けることにより、種々の先端工具が保持可能となる。なお、先端工具保持部４内から先端工具５を取り出す場合にも上述したように弾性体７を弾性変形させ且つ突起１０と環状溝１１との係合を解除することで可能となる。
【００１３】
また、本実施例では、突起１０がモータ軸と直交する方向に延びる上下に水平な棒状形状であり、更に断面略楕円形状を成す突起１０が先端工具保持部４の内周に沿って設けられているが、先端工具保持部４内から先端工具５を容易に取り出せる形状のものであれば他の形状であっても良い。
【００１４】
また、先端工具保持部４を形成する保護壁６の上下一部に切欠き８を設けることにより、図１３に示すように先端工具５を指先でつまんで矢印方向に取り出し易くすることができる。
【００１５】
また、図１４に示すように本実施例における先端工具保持部４はコードレスドライバドリル等の電動工具以外にも外部から電源供給されるコード式の電動工具にも適用可能である。
【００１６】
また、図１５〜図１８に示すように、本実施例における先端工具保持部４は、ハウジング１の両側面に設けても良く、これにより先端工具５の収納本数を増やすことができる。
【００１７】
また、図１９に示すように本体胴体部１の長さより長くならない程度までの先端工具保持部４を広げ設けることでより種々の長さを有する先端工具が収容可能になる。
【００１８】
以上のことから、電動工具の小形軽量化を図るためにモータ周辺のハウジング１の外径を抉れ部を設けて小さくしたとしても、抉れ部から立設して設けられる保護壁６により先端工具５を十分に収容可能な先端工具保持部４を形成することができるため、先端工具５を容易且つ確実に着脱することができる。
【００１９】
また、本体胴体部１の後端部に手を添えて前方に押しつける作業を行った場合でも作業者に疲労感や違和感を与えることがなくなる。
【００２０】
【発明の効果】
本発明によれば、本体胴体部の径が小さくなり内部構造と干渉しそうな場合でも種々の先端工具を容易且つ確実にハウジングに設けた先端工具保持部に収容可能な電動工具を提供することができる。
【００２１】
また、本発明の目的は、本体胴体部の後端部に手を添えて前方に押しつける作業を行った場合でも作業者に疲労感や違和感を与えることのない操作性及び操作性に優れた先端工具保持部を有する電動工具を提供することができる。
【図面の簡単な説明】
【図１】本発明になる電動工具の一実施例を示す外観正面図である。
【図２】図１に示す電動工具の左側面図である。
【図３】図１に示す電動工具の右側面図である。
【図４】図１に示す電動工具の平面図である。
【図５】本発明になる電動工具を横転させた際の先端工具保持部と設置面との関係を示す説明図である。
【図６】本発明になる電動工具の他の実施例を示す外観正面図である。
【図７】図６に示す電動工具の左側面図である。
【図８】図６に示す電動工具の右側面図である。
【図９】図６に示す電動工具の平面図である。
【図１０】図１の電動工具を作業者が把持して使用する場合の一例を示す状態説明図である。
【図１１】図６の電動工具を作業者が把持して使用する場合の一例を示す状態説明図である。
【図１２】図１及び図６の電動工具に設けた先端工具保持部を示す縦断面図である。
【図１３】図１及び図６の電動工具に設けた先端工具保持部に対して先端工具を着脱する場合の一例を示す状態説明図である。
【図１４】コード付の電動工具に同様の先端工具保持部を設けた一例を示す外観正面図である。
【図１５】本発明になる電動工具の更に他の実施例を示す外観正面図である。
【図１６】図１５に示す電動工具の左側面図である。
【図１７】図１５に示す電動工具の右側面図である。
【図１８】図１５に示す電動工具の平面図である。
【図１９】本発明になる先端工具保持部の他の実施例を示す外観正面図である。
【図２０】従来における電動工具の一実施例を示す外観正面図である。
【図２１】従来における電動工具の先端工具保持部の一実施例を示す一部省略縦断面図である。
【符号の説明】
１はハウジング、２はハンドル部、３は電動工具、４は先端工具保持部、５は先端工具、６はストッパ壁、７は弾性体、８は切り欠き、９は角Ｒ、１０は突起、１１は環状溝、１２は設置面、１３は角部、１４は先端工具保持部の後端部壁、１５ａは手，１５ｂは手、１６は蓄電池、１７はコードである。
【図１】
2004230538.tif 000003
【図２】
2004230538.tif 000004
【図３】
2004230538.tif 000005
【図４】
2004230538.tif 000006
【図５】
2004230538.tif 000007
【図６】
2004230538.tif 000008
【図７】
2004230538.tif 000009
【図８】
2004230538.tif 000010
【図９】
2004230538.tif 000011
【図１０】
2004230538.tif 000012
【図１１】
2004230538.tif 000013
【図１２】
2004230538.tif 000014
【図１３】
2004230538.tif 000015
【図１４】
2004230538.tif 000016
【図１５】
2004230538.tif 000017
【図１６】
2004230538.tif 000018
【図１７】
2004230538.tif 000019
【図１８】
2004230538.tif 000020
【図１９】
2004230538.tif 000021
【図２０】
2004230538.tif 000022
【図２１】
2004230538.tif 000023